(57)【特許請求の範囲】
【請求項１】
散水システムに連係した清掃水の散水口９をそれぞれ開口した多数の溝状水路２と、各水路の一端部をそれぞれ望ませて水路からの清掃水を集積する泥溜溝３とを槽内底面に敷設してなることを特徴とする雪冷蓄熱槽。
【請求項２】
上記各溝状水路２の配置が、多数平行する１群乃至は複数群をなす配置である請求項１記載の雪冷蓄熱槽。
【請求項３】
上記散水システムが、泥溜溝３の一部を泥溜枡６に形成するとともに、該枡内に上澄取水槽８を形成し、該上澄取水槽と各散水口９…とを連係させた内部循環式の散水システムである請求項１記載の雪冷蓄熱槽。
【請求項４】
上記散水システムが、泥溜溝３の一部を泥溜枡６に形成するとともに、該枡内に上澄取水槽８を形成し、該上澄取水槽８と外部給水部12とを、各散水口９と切換え可能に連係させた併用式の散水システムである請求項１記載の雪冷蓄熱槽。
【発明の詳細な説明】
【０００１】
【発明の属する技術分野】
この発明は雪冷蓄熱槽に関する。
【０００２】
【従来の技術】
雪冷蓄熱槽に於ける熱交換方式としては、大きく分けて空気熱交換方式と水熱交換方式がある。これらは蓄熱槽内に貯蔵した雪に熱媒体としての空気や水を直接或いは間接的に接触させて熱交換し、この熱交換した冷気或いは冷水を空調等のシステムに送り使用するものである。
【０００３】
【発明が解決しようとする課題】
この様な蓄熱槽に使用する雪は一般に不純物を含み、それが熱交換部表面に付着或いは堆積し、熱交換効率を低下させ、全体のシステム効率を下げるという不都合がある。特にこの種の蓄熱槽は長期に亘り大量の雪を貯蔵使用する場合が多く、そのため清掃する部分も広く使用後の清掃作業が極めて困難となる。
【０００４】
本発明は上記した点に鑑みなされたもので、雪中の不純物が槽底面に付着，堆積しても簡単に取り除き、運び出すことができ、その結果、熱交換システムを常時有効に作動させることができる雪冷蓄熱槽を提案するものである。
【０００５】
【課題を解決するための手段】
本請求項１発明の雪冷蓄熱槽は上記課題を解決するため、散水システムに連係した清掃水の散水口９をそれぞれ開口した多数の溝状水路２と、各水路の一端部をそれぞれ望ませて水路からの清掃水を集積する泥溜溝３とを槽内底面に敷設してなることを特徴とする雪冷蓄熱槽として構成した。
【０００６】
また、請求項２発明の雪冷蓄熱槽は、上記各溝状水路２の配置が、多数平行する１群乃至は複数群をなす配置である請求項１記載の雪冷蓄熱槽として構成した。
【０００７】
また、請求項３発明の雪冷蓄熱槽は、上記散水システムが、泥溜溝３の一部を泥溜枡６に形成するとともに、該枡内に上澄取水槽８を形成し、該上澄取水槽と各散水口９…とを連係させた内部循環式の散水システムである請求項１記載の雪冷蓄熱槽として構成した。
【０００８】
また、請求項４発明の雪冷蓄熱槽は、上記散水システムが、泥溜溝３の一部を泥溜枡６に形成するとともに、該枡内に上澄取水槽８を形成し、該上澄取水槽８と外部給水部12とを、各散水口９と切換え可能に連係させた併用式の散水システムである請求項１記載の雪冷蓄熱槽として構成した。
【０００９】
【発明の実施の形態】
以下、本発明の実施例の形態を図面を参照して説明する。
【００１０】
本発明の雪冷蓄熱槽は、自然エネルギーとしての雪を熱源として使用したもので、熱源としての雪を貯蔵し、熱媒体としての水或いは空気と雪とを熱交換させて空調等に活用すべく設けたものである。熱媒体としての水は、槽内に巡らせた導管内を循環させて雪と間接的に熱交換させる場合と、供給口より槽内に導入して雪と直接熱交換させる場合とがあるが、空気の場合は前者の形態が多く、いずれにしろ本発明ではどの場合にも適用することができる。
【００１１】
図１は本発明の雪冷蓄熱槽Ａの一例を示すもので、多数の溝状水路２…と、各水路の一端部をそれぞれ望ませて水路からの清掃水を集積する泥溜溝３とを槽内底面に敷設している。各溝状水路２を構成する構成体としては種々選択することができる。本実施例では、図２に示す如く、槽低面より一体に立設した多数の突条壁４により各溝状水路２を画成しているが、これに限られず、別体の板体を槽底面に多数立設することにより多数の水路を形成することも可能であり、また、従来の熱媒体を通過させる導管に用いられるフィン形状のもので水路を形成することも可能であり、その具体的形成手段はこれらに限定されない。
【００１２】
また、本実施例では熱媒体と雪とを間接的に熱交換する熱媒体通過導管５を突条壁４内上部に埋設している。この導管は本実施例の如く埋設したものに限らず露出したものであっても良い。本発明はこの様に導管を槽内底部に配設したものにあって特に有効である。
【００１３】
また、溝状水路２…の配置は、多数平行する１群或いは多数平行する複数の群をなすものが好ましく採用でき、槽の形状，規模などに合わせてその形態を種々選択することができる。図１の実施例では一方向へ多数平行する１群をなす配置を採用している。
【００１４】
また、泥溜溝３は各水路の一端部をそれぞ望ませて各溝状水路２からの清掃水を集積するものでその配置形態は溝状水路２の配置形態に合わせて種々の形態を採用することができる。また、泥溜溝３内に集積された沈殿物等を含む清掃水の取り出しをより行い易くする目的で、泥溜溝３の一部を泥溜枡６に形成して、該泥溜枡６部分より集積した汚泥を搬出する如く構成すると良い。泥溜枡６は泥溜溝３の中間部や端部に汚泥を溜められる容積を有する如く比較的大きめに形成し、そこに至る泥溜溝３に傾斜を設ける等すると良い。図１の実施例では、泥溜溝３の長手方向中間部に底の深い泥溜枡６を設けている。
【００１５】
図３乃至図６に溝状水路２…と、泥溜溝３との種々の配置形態を挙げる。図３乃至図６は各溝状水路２…の配置が、多数平行する二群をなす配置の例で、図３は、槽中央部を前後に横断し、前後方向中央部に泥溜枡６を形成した泥溜溝３を有し、その両側に横方向に多数平行する溝状水路２…の二群を配置したものである。また、図４は槽中央部を前後に横断し、前後端部にそれぞれ泥溜枡６を形成した泥溜溝３を有し、その両側に横方向に多数平行する溝状水路２…の二群を配置したものである。更に、図５は槽両側縁部を前後に横断し、それぞれ前後中間部に幅広の泥溜枡６を形成した１対の泥溜溝３を有し、また、左右方向中央の分離壁７で分離した横方向に多数平行する溝状水路２…の二群のを配置したものである。また、図６は、槽の対向するコーナーを結ぶ一対の対角線状に一対の泥溜溝３を有し、各泥溜溝の交わる中央部に共用の泥溜枡６を形成し、また、各泥溜溝３により分割された４箇所にそれぞれ中央に向かう多数平行する溝状水路２…の四群を配置した例を示す。尚、図中７は後述する上澄取水槽を示す。
【００１６】
各溝状水路２には各々散水システムに連係させた散水口９を設けており、散水口９より噴出した清掃水により水路内に付着或いは堆積した不純物を泥溜溝３内に押し流す如く構成している。散水口９は各溝状水路２内に幾つ設けもよいが、本実施例では図７に示す如く、比較的多数の散水口９を設けている。また、各散水口９の形態はその噴出方向も含めて種々選択できる。例えば、槽内や突条壁に埋設した配管や、水路内に露出させた配管から噴出口を開口させることができ、その方向も清掃水の流れる方向に限らず、その逆方向或いは直行方向、或いはそれらの組み合わせ等種々選択できる。
【００１７】
図１の実施例では、図２に示す如く溝状水路２底部の槽低面に埋設した散水用配管10より上方に散水口９を開口している。また、図９乃至図11はその他の形態の例を示し、図９は、溝状水路２内底部に載置固定した露出の散水用配管10より上方に散水口９を開口した例を示し、また、図10は突条壁４内下部に埋設した散水用配管10より左右の水路に散水口９を開口した例を示し、更に、図11は突条壁４内下部に埋設した一対の散水用配管10よりそれぞれ左右の溝状水路２内に散水口９を開口した例を示すが当然これらに限定されない。尚図中10は堆積物を示す。
【００１８】
散水口９と連係する散水システムとしては、泥溜枡６に流れた水を再び使用する内部循環式、或いは外部より供給する外部供給式、或いはこれらを併用した併用式を採用できる。内部循環式としては、上記泥溜枡６内に上澄取水槽８を形成し、該取水槽と各散水口９…とを連係させて構成する。
【００１９】
図１の実施例では、図７及び図８に示す如く、上記泥溜枡６内に上澄取水槽８を形成し、該取水槽８及び外部給水部12を、各散水口９と切換え可能に連係させた併用式の散水システムを採用している。図示例では、上澄取水槽８の液をポンプ13，バルブ14を介して配管15により各溝状水路２内の散水用配管10に分岐連結し、一方、外部給水部12からの配管16をバルブ17を介して配管15に接続している。そして、必要に応じて各バルブ14，17を切換えることにより、上澄取水槽８からの循環水を使用したり、外部給水部12からの供給水を使用したりすることができる如く構成している。
【００２０】
上記の如く構成した雪冷蓄熱槽Ａは、例えば、使用後に槽内底部に付着或いは堆積した雪に含まれる不純物を、各散水口９からの散水により押し流し、泥溜槽３内に一旦集積し、次いで泥溜枡６内より汚泥ポンプや機械などにより汚泥を搬出する。
【００２１】
【発明の効果】
上記した如く本請求項１発明の雪冷蓄熱槽は、散水システムに連係した清掃水の散水口９をそれぞれ開口した多数の溝状水路２…と、各水路の一端部をそれぞれ望ませて水路から清掃水を集積する泥溜溝３とを槽内底面に敷設しているので、雪内に含まれる不純物が槽内底面に付着或いは堆積しても、簡単に洗い流すことができ、清掃が極めて簡単となる。その結果、熱交換システムを常時有効に作動させることができる。
【００２２】
また、各溝状水路２の配置が、各々多数平行する１群乃至は複数群をなす配置であるものにあっては、槽内底部の形状に拘わらずその一面に濃密に水路及び泥溜溝を敷き詰めることができる。また、清掃時のブラシ等の清掃具の使用にも極めて便利である。
【００２３】
また、泥溜溝３の一部を泥溜枡６に形成するとともに、該枡内に上澄取水槽８を形成し、該取水槽と各散水口９…とを連係させた内部循環式の散水システムを採用してものにあっては、清掃水を無駄なく効率よく利用でき、経済的であるとともに、極力汚水の廃棄量を抑えることができる利点がある。
【００２４】
また、泥溜溝３の一部を泥溜枡６に形成するとともに、該枡内に上澄取水槽８を形成し、該取水槽８と外部給水部12とを、各散水口９と切換え可能に連係させた併用式の散水システムを採用したものにあっては、上記内部循環式の散水システムの利点を備えつつ、さらに効率の良い清掃が行えるものである。
【図面の簡単な説明】
【図１】本発明の一実施例を示す一部を切欠いた説明斜視図である。
【図２】同実施例の水路部分の要部拡大断面図である。
【図３】本発明に於ける水路の配置の一例を示す平面図である。
【図４】本発明に於ける水路の配置の他の一例を示す平面図である。
【図５】本発明に於ける水路の配置の更に他の一例を示す平面図である。
【図６】本発明に於ける水路の配置の更に他の一例を示す平面図である。
【図７】図１の実施例の散水システムを説明する説明断面図である。
【図８】図１の実施例の散水システムを説明する説明平面図である。
【図９】本発明に於ける水路部分の他の一例を示す要部拡大断面図である。
【図１０】本発明に於ける水路部分の更に他の一例を示す要部拡大断面図である。
【図１１】本発明に於ける水路部分の更に他の一例を示す要部拡大断面図である。
【符号の説明】
２…溝状水路，３…泥溜溝，４…突条壁，５…熱媒体通過導管，６…泥溜枡，
７…分離壁，８…上澄取水槽，９…散水口，10…散水用配管，11…堆積物，
12…外部給水部，13…ポンプ，14…バルブ，15…配管，16…配管，
17…バルブ，Ａ…雪冷蓄熱槽
【図１】
0004577705.tif 000002
【図２】
0004577705.tif 000003
【図３】
0004577705.tif 000004
【図４】
0004577705.tif 000005
【図５】
0004577705.tif 000006
【図６】
0004577705.tif 000007
【図７】
0004577705.tif 000008
【図８】
0004577705.tif 000009
【図９】
0004577705.tif 000010
【図１０】
0004577705.tif 000011
【図１１】
0004577705.tif 000012